(57)【特許請求の範囲】
【請求項１】
相互に嵌合可能な第１のハウジングと第２のハウジングから成り、前記第１のハウジングに前記第２のハウジングとの結合及び解除するための回動レバーを備え、該回動レバーの回転中心軸と平行な方向に可動の可撓性を有する一対の錠止用爪部を前記回動レバーに形成し、前記第２のハウジングには前記錠止用爪部をそれぞれ錠止する錠止用枠部を設けたレバー式コネクタであって、前記回動レバーの前記回転中心軸方向への片寄りを防止をするための一対の規制部を前記回動レバーに設け、前記錠止用爪部が前記錠止用枠部の内面に錠止している状態において、前記規制部を前記錠止用枠部の両外側に接するようにしたことを特徴とするレバー式コネクタ。
【請求項２】
前記錠止用爪部は前記回動レバーの頂部に設けた請求項１に記載のレバー式コネクタ。
【請求項３】
前記錠止用爪部は２個の爪部を両側に張り出すようにした請求項１に記載のレバー式コネクタ。
【請求項４】
前記錠止用爪部の２個の爪部は前記錠止用枠部の内面に錠止する際に衝突音を発するようにした請求項３に記載のレバー式コネクタ。
【請求項５】
前記規制部は前記錠止用枠部の外側に設けた突出部に接するようにした請求項１に記載のレバー式コネクタ。
【発明の詳細な説明】
【０００１】
【発明の属する技術分野】
本発明は、多数の接続端子をそれぞれ収容した一対のハウジングを、回動レバーによって結合及び解除するためのレバー式コネクタに関するものである。
【０００２】
【従来の技術】
多数の接続端子を収容した一対のハウジング同士を結合及び解除するには、多大の力を必要とするためレバー式コネクタを用いることが多い。図７はレバー式コネクタの一例であり、相互に嵌合可能な第１のハウジング１と第２のハウジング２から成り、第１のハウジング１に第２のハウジング２を結合及び解除するための回動レバー３を備え、ほぼ左右対称の回動レバー３の頂部には可撓部４を有する一対の錠止用爪部５ａ、５ｂが設けられている。第２のハウジング２には錠止用爪部５ａ、５ｂをそれぞれ錠止する錠止用枠部６が設けられている。
【０００３】
【発明が解決しようとする課題】
しかし、錠止時に回動レバー３が図８に示すように左又は右に片寄っていると、図８に示すように解除の際に例えば一方の錠止用爪部５ａは押し込むことができても、他方の錠止用爪部５ｂは十分に押し込むことができずに、解除が円滑にできないことがある。
【０００４】
本発明の目的は、上述の問題を解決し、ハウジングの結合を解除するために一対の錠止用爪部を内側に押し込んで錠止用枠部から解除させる際に、両側の錠止用爪部が左右に偏らずに動いて、確実な解除を可能とするレバー式コネクタを提供することにある。
【０００５】
【課題を解決するための手段】
上記目的を達成するための本発明に係るレバー式コネクタは、相互に嵌合可能な第１のハウジングと第２のハウジングから成り、前記第１のハウジングに前記第２のハウジングとの結合及び解除するための回動レバーを備え、該回動レバーの回転中心軸と平行な方向に可動の可撓性を有する一対の錠止用爪部を前記回動レバーに形成し、前記第２のハウジングには前記錠止用爪部をそれぞれ錠止する錠止用枠部を設けたレバー式コネクタであって、前記回動レバーの前記回転中心軸方向への片寄りを防止をするための一対の規制部を前記回動レバーに設け、前記錠止用爪部が前記錠止用枠部の内面に錠止している状態において、前記規制部を前記錠止用枠部の両外側に接するようにしたことを特徴とする。
【０００６】
【発明の実施の形態】
本発明を図１〜図４に図示の実施の形態に基づいて詳細に説明する。
図１はレバー式コネクタの分離した状態の斜視図である。このレバー式コネクタは相互に嵌合可能な合成樹脂製の第１のハウジング１１と第２のハウジング１２から構成されている。第１のハウジング１１には、第２のハウジング１２を第１のハウジング１１側に引き寄せ又は押し出すための合成樹脂製の回動レバー１３が第１のハウジング１１を跨ぐように設けられている。
【０００７】
第１のハウジング１１の内部には、図示しない接続端子を収容した多数の端子収容孔１４が設けられている。第１のハウジング１１の両側面には、回動レバー１３を回動自在に支持するための支持ピン１５がそれぞれ突設されていると共に、第２のハウジング１２の後述する被駆動ピンを導き入れるストレート溝１６がそれぞれ形成されている。また、第１のハウジング１１の両側面には、回動レバー１３の時計回り方向への所定以上の回動を規制して、回動レバー１３を初期位置に保持する規制ピン１７がそれぞれ突設されている。
【０００８】
第２のハウジング１２の内部には、第１のハウジング１１内の接続端子と接続可能な図示しない接続端子を収容した多数の端子収容孔２１が形成されている。そして、第２のハウジング１２の両側面には、回動レバー１３によって駆動される被駆動ピン２２が、第１のハウジング１１のストレート溝１６に進入可能にそれぞれ突設されている。
【０００９】
回動レバー１３は支持ピン１５に回動自在に支持された左右のレバー本体部３１と、これらのレバー本体部３１の上部同士を連結する連結部３２とからコ字状に形成されている。レバー本体部３１には、第２のハウジング１２の被駆動ピン２２を駆動するためのカム溝３３と、回動レバー１３が時計回り方向に回動した際に規制ピン１７に当接する規制用突起３４とが形成されている。
【００１０】
回動レバー１３の連結部３２の前面の中央には、可撓部３５を介して鉤部を外側に向けた左右一対の錠止用爪部３６がそれぞれ一体に設けられ、錠止用爪部３６はその外面は案内面３６ａとされている。更に、連結部３２の内側の左右両側には規制部３７が突設されている。
【００１１】
一方、第２のハウジング１２の上面には、前後方向に長い支持板４１と左右方向に長い支持台４２とが設けられている。支持板４１の前面と支持台４２の後面は一体とされ、支持板４１の上面と支持台４２の上面は水平な同一平面内に設けられている。
【００１２】
そして、支持板４１の上面の後部には、左右方向に長い支持用ビーム４３の中間部が支持されている。この支持用ビーム４３の両端部には、回動レバー１３の錠止用爪部３６を内面で錠止するための左右一対の錠止用枠部４４が前方に向けて支持され、錠止用枠部４４の前端は支持台４２に一体とされている。この錠止用枠部４４の外側には突出部４４ａが設けられ、この突出部４４ａの外面は回動レバー１３に設けた規制部３７の内側に接するようにされている。
【００１３】
図２の斜視図及び図３の側面図に示すように、第１のハウジング１１と第２のハウジング１２の結合に際しては、図面において回動レバー１３を時計回り方向に回転して、その規制用突起３４を第１のハウジング１１の規制ピン１７に当接させる。これにより、第１のハウジング１１のストレート溝１６の入口と回動レバー１３のカム溝３３の入口が整合する。
【００１４】
次に、第１のハウジング１１と第２のハウジング１２を初期位置に嵌合すると、第１のハウジング１１内に接続端子と第２のハウジング１２内の接続端子が初期的に接触すると共に、第２のハウジング１２の被駆動ピン２２が第１のハウジング１１のストレート溝１６と回動レバー１３のカム溝３３とに若干進入する。
【００１５】
この状態で、回動レバー１３を反時計回り方向に回動すると、回動レバー１３のカム溝３３の前壁が第２のハウジング１２の被駆動ピン２２を駆動し、てこ作用により第２のハウジング１２を第１のハウジング１１側に引き寄せる。これにより、第１のハウジング１１と第２のハウジング１２が最終位置に結合すると共に、第１のハウジング１１内の接続端子と第２のハウジング１２内の接続端子同士が最終的に接続する。このとき、図３に示すように規制部３７は錠止用枠部４４の突出部４４ａの外側に沿って動くので、回動レバー１３は左右に偏心することなく正規の位置に導かれる。
【００１６】
ここで回動レバー１３を押下すると、錠止用爪部３６の案内面３６ａが第２のハウジング１２の錠止用枠部４４の内面にそれぞれ当接し、錠止用爪部３６の案内面３６ａが錠止用枠部４４の内面を摺動する。このとき、回動レバー１３の可撓部３５が内方に撓み、図４に示すように錠止用爪部３６が錠止用枠部４４を乗り越えると可撓部３５が復元し、衝突音を発すると共に錠止用爪部３６と錠止用枠部４４が係合する。
【００１７】
第１のハウジングと第２のハウジングの結合を解除するには、図５に示すように錠止状態にある左右の錠止用爪部３６を左右方向から手指Ｆで摘み、図６に示すように内方に移動させて錠止用爪部３６と錠止用枠部３４の錠止状態を解除し、回動レバー１３を時計回り方向に回動する。
【００１８】
これにより、回動レバー１３のカム溝３３の後壁が被駆動ピン２２を駆動し、第２のハウジング１２を第１のハウジング１１から押し出す。
【００２０】
【発明の効果】
以上説明したように本発明に係るレバー式コネクタにおいては、回動レバーが片側に片寄らずに錠止できるようにしたので、回動レバーの解除を確実に行うことができる。
【図面の簡単な説明】
【図１】ハウジング同士を分離した状態の斜視図である。
【図２】ハウジング同士を初期位置に嵌合した状態の斜視図である。
【図３】回動レバーの位置決めの説明図である。
【図４】ハウジング同士を最終位置に結合した状態の側面図である。
【図５】錠止状態を解除する側面図である。
【図６】錠止状態を解除する説明図である。
【図７】従来例のハウジング同士を分離した状態の斜視図である。
【図８】従来例の錠止状態を解除する説明図である。
【符号の説明】
１１、１２  ハウジング
１３  回動レバー
１４  被駆動ピン
３３  カム溝
３５  可撓部
３６  錠止用爪部
３６ａ  案内面
３７  規制部
４１  支持板
４２  支持台
４３  支持用ビーム
４４  錠止用枠部
４４ａ  突出部
【図１】
0004011891.tif 000002
【図２】
0004011891.tif 000003
【図３】
0004011891.tif 000004
【図４】
0004011891.tif 000005
【図５】
0004011891.tif 000006
【図６】
0004011891.tif 000007
【図７】
0004011891.tif 000008
【図８】
0004011891.tif 000009